(57)【要約】【課題】部品点数の少ない簡単な構造でテンプルの開閉動作によるガタ付きの発生を防止することができ、且つ、テンプルの開閉抵抗も適度に維持することができる、メガネの蝶番構造を提供する。【解決手段】メガネ１０の智２４にテンプル２６を開閉自在に支持するメガネの蝶番構造であって、智２４は、智本体３０と、フロント側連結部３２と、テンプル側連結部４０とを備え、テンプル２６は、テンプル本体５６と、テンプル基端部５８とを備え、テンプル側連結部４０は、付勢部４２と、ヒンジ支点部４４とを含み、テンプル基端部５８は、ヒンジ支点部４４が挿入され回動自在に保持される挿通部６０と、テンプル２６の開閉に伴い付勢部４２の少なくとも一部が係合可能となる溝部６２とを含み、智本体３０とテンプル側連結部４０とは、弾性を有する線材で一体的に形成される。【選択図】図１
0003106120.tif 000002
【実用新案登録請求の範囲】
【請求項１】
メガネのフロントの左右両端に配置される智にテンプルを開閉自在に支持するメガネの蝶番構造であって、
前記智は、智本体、前記智本体の長さ方向の一端側に配設され、前記メガネのフロントの両端側に連結されるフロント側連結部、前記智本体の長さ方向の他端側に配設され、前記テンプルに回動自在に連結されるテンプル側連結部を備え、
前記テンプルは、テンプル本体、前記テンプル本体の長さ方向の一端側に配置され、前記テンプル側連結部に回動自在に支持されるテンプル基端部を備え、
前記テンプル側連結部は、前記メガネのフロント側に向いて開放されるＵ字状の屈曲片からなる付勢部と、前記付勢部の一端から垂直方向に延びて前記テンプル基端部を回動自在に支持するヒンジ支点部とを含み、
前記テンプル基端部は、前記ヒンジ支点部が挿入され回動自在に保持される挿通部と、前記テンプル基端部の外側端面に設けられ、前記テンプルの開閉に伴い前記付勢部の少なくとも一部が係合可能となる溝部とを含み、前記智本体と前記テンプル側連結部とは、弾性を有する線材で一体的に形成される、メガネの蝶番構造。
【請求項２】
前記テンプル基端部は、前記テンプル基端部の外側面および下側面に向いて開放され、前記溝部と連接される段差部をさらに含み、
前記テンプルが開いた状態からさらに前記テンプルを外側に開いたときに、少なくとも前記付勢部の一部が前記段差部の内壁面に当接可能に変位される、請求項１に記載のメガネの蝶番構造。
【請求項３】
前記付勢部は、前記メガネのレンズの光軸方向と略平行に延び設けられる上片部位と、前記上片部位の一端から垂直方向に屈曲するＵ字状の曲折部位と、前記曲折部位の一端から前記フロント側に向いて延び設けられ、前記ヒンジ支点部に連接される下片部位とを含み、前記上片部位と前記曲折部位と前記下片部位とは一体的に形成される、請求項１または請求項２に記載のメガネの蝶番構造。
【請求項４】
前記溝部は、前記テンプル基端部の先端面で水平方向に配設される先端溝部と、前記テンプル基端部の外側端面で水平方向に配設され、前記先端溝部に連接される外側溝部とを含み、前記テンプルを閉じたときには前記上片部位が前記先端溝部に係合され、前記テンプルを開いたときには前記上片部位が前記外側溝部に係合される、請求項３に記載のメガネの蝶番構造。
【請求項５】
前記智本体および前記テンプル側連結部の間には、垂直方向に湾曲する緩衝部が形成される、請求項１ないし請求項４のいずれかに記載のメガネの蝶番構造。
【請求項６】
前記緩衝部は、前記智本体の一端から前記テンプル側連結部に向いて上向きに延び設けられる円弧状の湾曲部位を含む、請求項５に記載のメガネの蝶番構造。
【考案の詳細な説明】
【技術分野】
【０００１】
本願考案は、メガネの蝶番構造に関し、特に、たとえばフロントの両端部分（智）とテンプルとを開閉自在に連結する、メガネの蝶番構造に関する。
【背景技術】
【０００２】
本願考案の背景となる先行技術には、テンプルの先端側をなす連結部材（智ないしヨロイに相当する部分）を、１本の線材を２つ折り状態に折り曲げて形成し、レンズに連結している縁無し眼鏡があった（例えば、特許文献１参照。）。連結部材７の先端側には、レンズ４の内方に突出して内端で折り返すＵ字状の連結片部９が形成されている。また、連結部材７の中間部には、レンズ４の周方向に屈曲され、レンズ４の周面に当接するＣ字状の当接片部１５が形成されている。さらに、連結部材７の基端側には、レンズ４の後方に突出し、内方に向けて円環状に折り曲げられた円環状部１９，２０が形成されている。さらに、テンプル本体６の前端部分にも同様の円環状部２１が形成されている。円環状部２１は、円環状部１９，２０間に配置され、重なり部分がコ字状のボックス部材２２の溝部２３に収められている。そして、重ねられた円環状部１９，２０，２１の各挿通孔２６，２７，２８には枢支ネジ２５が挿通される。この場合、枢支ネジ２５が、ボックス部材２２の上片２４の孔から挿通され、下片３０のネジ孔３１に螺合され締結されることにより、テンプル本体６および連結部材７は屈曲自在に枢着される。テンプルの連結部材７は、レンズ４の一面側よりレンズ４の挿通孔１０に連結ネジ１１が挿通され、レンズ４の他面側からナット３６が螺合され締結されることによりレンズ４に連結される。
また、本願考案の背景となる先行技術には、テンプルに折畳み方向への付勢力を付与することにより、使用者の側頭部に適切な圧力でフィッティングさせたバネ式眼鏡テンプルがあった（例えば、特許文献２参照。）。このバネ式眼鏡テンプルは、眼鏡フロントＦの左右両端のエンドピースＥの持出端部に配設された中継部材１を備え、中継部材１の基端側に形成された駒部１０が枢軸Ｓによってヒンジ連結されている。中継部材１の上下面は、カバー体２によりカバーされ、カバー体２には所要箇所にネジ山を有する縦軸受２１が配設されている。縦軸受２１には、小ネジ等からなる縦軸３が螺合され、耳鉉部材５の基端部５１が軸支される。縦軸３には、金属線材を折り曲げてなる二股状の金属性捩じりバネ４の巻付け部４１が挿通されて支持される。この場合、耳鉉部材５が枢軸Ｓを支点として自由端側を眼鏡フロントＦに対し外方へ拡開しようとすると、縦軸３を支点として耳鉉部材５の基端部５１が金属性捩じりバネ４の二股両端部を閉じ方向に圧縮付勢するように構成されている。
【０００３】
【特許文献１】実用新案登録第２５３３００９号公報（第２−３頁、図１−図４）
【特許文献２】特許第３４４７６８２号公報（第２−３頁、図２−図３）
【考案の開示】
【考案が解決しようとする課題】
【０００４】
しかしながら、上記［背景技術］で示した先行技術（例えば、特許文献１参照。）に記載された従来の眼鏡の蝶番構造では、連結部材７の基端側である円環状部１９，２０とテンプル本体６の基端部とテンプル本体６の前端部分の円環状部２１とが、ヒンジ軸としての役割を果たす枢支ネジ２５によって屈曲自在に枢着されているので、頻繁に繰り返されるテンプル本体６の屈曲動作（開閉動作）により、枢支ネジ２５が緩んでしまって蝶番構造にガタツキが発生する恐れを未だ払拭することができない。しかも、枢支ネジ２５の締め付け具合によってはテンプル本体６の開閉抵抗（所謂、「アガキ」と俗称されているもの。）が大きく変動してしまうため、このテンプル本体６の開閉抵抗を適度に保つためには何度か枢支ネジ２５のネジ締め調整が必要となり、面倒なものであった。
また、上記［背景技術］で示した先行技術（例えば、特許文献２参照。）に記載された従来の眼鏡の蝶番構造では、中継部材１の基端側に形成された駒部１０が枢軸Ｓによってヒンジ連結され、さらに、縦軸３に耳鉉部材５の基端部５１がヒンジ枢支されているので、これまた頻繁に繰り返されるテンプルの開閉動作によって枢軸Ｓおよび縦軸３の緩みが問題となってくる。しかも、中継部材１，カバー体２，縦軸受２１，縦軸３（小ネジ），金属性捩じりバネ４等の複数の部品を必要とし、これらの部品の組立て作業において縦軸受２１への縦軸３のねじ込み作業、縦軸３への金属性捩じりバネ４の挿通作業等、組立て作業が複雑且つ煩雑となり、メンテナンス性に劣るものであった。
【０００５】
それゆえに、本願考案の主たる目的は、部品点数の少ない簡単な構造でテンプルの開閉動作によるガタ付きの発生を防止することができ、且つ、テンプルの開閉抵抗も適度に維持することができる、メガネの蝶番構造を提供することである。
【課題を解決するための手段】
【０００６】
請求項１にかかる本願考案は、メガネのフロントの左右両端に配置される智にテンプルを開閉自在に支持するメガネの蝶番構造であって、智は、智本体と、智本体の長さ方向の一端側に配設され、メガネのフロントの両端側に連結されるフロント側連結部と、智本体の長さ方向の他端側に配設され、テンプルに回動自在に連結されるテンプル側連結部とを備え、テンプルは、テンプル本体と、テンプル本体の長さ方向の一端側に配置され、テンプル側連結部に回動自在に支持されるテンプル基端部とを備え、テンプル側連結部は、メガネのフロント側に向いて開放されるＵ字状の屈曲片からなる付勢部と、付勢部の一端から垂直方向に延びてテンプル基端部を回動自在に支持するヒンジ支点部とを含み、テンプル基端部は、ヒンジ支点部が挿入され回動自在に保持される挿通部と、テンプル基端部の外側端面に設けられ、テンプルの開閉に伴い付勢部の少なくとも一部が係合可能となる溝部とを含み、智本体とテンプル側連結部とは、弾性を有する線材で一体的に形成される、メガネの蝶番構造である。
請求項２にかかる本願考案は、請求項１にかかる考案に従属される考案であって、テンプル基端部は、テンプル基端部の外側面および下側面に向いて開放され、溝部と連接される段差部をさらに含み、テンプルが開いた状態からさらにテンプルを外側に開いたときに、少なくとも付勢部の一部が段差部の内壁面に当接可能に変位される、メガネの蝶番構造である。
請求項３にかかる本願考案は、請求項１または請求項２にかかる考案に従属される考案であって、付勢部は、メガネのレンズの光軸方向と略平行に延び設けられる上片部位と、上片部位の一端から垂直方向に屈曲するＵ字状の曲折部位と、曲折部位の一端からフロント側に向いて延び設けられ、ヒンジ支点部に連接される下片部位とを含み、上片部位と曲折部位と下片部位とは一体的に形成される、メガネの蝶番構造である。
請求項４にかかる本願考案は、請求項３にかかる考案に従属される考案であって、溝部は、テンプル基端部の先端面で水平方向に配設される先端溝部と、テンプル基端部の外側端面で水平方向に配設され、先端溝部に連接される外側溝部とを含み、テンプルを閉じたときには上片部位が先端溝部に係合され、テンプルを開いたときには上片部位が外側溝部に係合される、メガネの蝶番構造である。
請求項５にかかる本願考案は、請求項１ないし請求項４のいずれかにかかる考案に従属される考案であって、智本体およびテンプル側連結部の間には、垂直方向に湾曲する緩衝部が形成される、メガネの蝶番構造である。
請求項６にかかる本願考案は、請求項５にかかる考案に従属される考案であって、緩衝部は、智本体の一端からテンプル側連結部に向いて上向きに延び設けられる円弧状の湾曲部位を含む、メガネの蝶番構造である。
【０００７】
［作用］
請求項１にかかる本願考案では、智のフロント側連結部がメガネのフロントの両端側に連結され、智のテンプル側連結部にテンプルのテンプル基端部が回動自在に支持される。この場合、智のテンプル側連結部のヒンジ支点部がテンプル基端部の挿通部で回動自在となる。テンプルを普通に開いた場合には、テンプル側連結部の付勢部の少なくとも一部がテンプル基端部の溝部に係合される。そして、テンプルを普通に開いた状態からさらにテンプルを外側に開いた場合、テンプル側連結部のヒンジ支点部を中心にして、テンプル基端部の溝部が付勢部を外側方に押圧するので、ヒンジ支点部は付勢部の付勢力（弾性反発力）に抗して、内側方に引っ張られるように弾性変形されるが、このとき、付勢部への押圧力を解除してやれば、ヒンジ支点部は、その付勢力（弾性反発力）によって元の状態に復帰し、テンプル基端部も、テンプルが普通に開いた状態に復帰する。つまり、この場合、付勢部およびヒンジ支点部を有するテンプル側連結部の付勢力（弾性反発力）によって、テンプルが閉じられる方向に付勢されるヒンジ機能が作用している。請求項１にかかる本願考案では、先行技術（例えば、特許文献１および特許文献２参照。）と比べて、特に、智本体、付勢部およびヒンジ支点部が弾性を有する線材で一体的に形成されているので、先行技術のように枢支ネジ、枢軸Ｓ、縦軸３（小ネジ）等の緩みやガタツキの恐れがなく、テンプルの開閉抵抗もテンプル側連結部の付勢力によって適宜なものに保つことが可能となる。
請求項２にかかる本願考案では、テンプルが普通に開いた状態からさらにテンプルを外側に開いた場合、少なくとも付勢部の一部がテンプル基端部の段差部内に侵入する。そして、さらにテンプルを外側に開いた場合、少なくとも付勢部の一部が段差部の内壁面に当接される。この場合、段差部の内壁面がテンプルの外側への開き角度が最大となる。つまり、段差部は、テンプルの開き角度を規制するストッパの役割を有するものとなる。
請求項３にかかる本願考案では、メガネのレンズの光軸方向と略平行に配置されている上片部位に対して、下片部位がフロント側に内側に向いて配置されている。つまり、下片部位は、メガネのレンズの光軸方向に交差する方向で且つテンプルの内側方向に配置されているため、テンプルを普通の状態からさらに外側に開かれて下片部位がその付勢力に抗してさらにテンプルの内側方向に押圧された場合、下片部位にはヒンジ支点部を支点にしてテンプルを閉じる方向に付勢される。また、上片部位、曲折部位および下片部位が弾性を有する線材で一体的に形成されているため、部品点数の少ない簡単な構造を有するものとなり、さらに、上片部位、曲折部位および下片部位の弾性力の相互作用により、テンプルの開閉抵抗も大きく変動することがない。
請求項４にかかる本願考案では、テンプルを開いた場合、付勢部の上片部位がテンプル基端部の外側溝部に係合し、テンプルが閉じた場合、付勢部の上片部位が先端溝部に係合する。この場合、テンプルの開閉動作に伴い、つまり、テンプル基端部の回動動作にしたがい、テンプル基端部がその先端溝部およびそれに連なる外側溝部を介し、付勢部の上片部位の長さ方向に沿って摺動するものとなる。
請求項５にかかる本願考案では、テンプルを普通の状態からさらに外側に開いた場合、あるいは、さらにそれ以上テンプルを開こうとした場合に、付勢部にかかる力（負荷）を緩衝部によって緩和させることが可能となる。つまり、智本体にかかる力（負荷）を軽減することができるので、智本体の損傷などが防止される。
【考案の効果】
【０００８】
本願考案によれば、部品点数の少ない簡単な構造でテンプルの開閉動作によるガタ付きの発生を防止することができ、且つ、テンプルの開閉抵抗も適度に維持することができる、メガネの蝶番構造が得られる。
【０００９】
この考案の上述の目的、その他の目的、特徴および利点は、図面を参照して行う以下の考案を実施するための最良の形態の説明から一層明らかとなろう。
【考案を実施するための最良の形態】
【００１０】
図１は、本願考案にかかるメガネの蝶番構造の一例を示す斜視図であり、図２は、図１に示す蝶番構造の要部分解斜視図であり、図３は、図１に示す蝶番構造の要部を示す側面図である。以下の実施形態では、たとえばプラスチック枠を有するメガネのフロントの両端部分（智）とテンプルとを開閉自在に連結するメガネの蝶番構造の一例について説明する。
メガネ１０は、左右一対のレンズ１２を含む。一対のレンズ１２は一対のリム１４で保持され、一対のリム１４はブリッジ１６で連結されている。一対のレンズ１２は、リムロック部１８およびリムロックねじ２０（図２参照）によって、リム１４に固定されている。一対のリム１４、ブリッジ１６およびリムロック部１８は、プラスチック材料で一体的に形成され、メガネ１０のフロント部２２を構成している。さらに、フロント部２２の左右両端側には智２４が配置され、智２４にはテンプル２６が開閉自在に連結されている。テンプル２６の耳に接する部分には、モダン２８が取り付けられている。
【００１１】
次に、このメガネ１０に適用され、智２４にテンプル２６を開閉自在に支持している蝶番構造について説明していく。
先ず、智２４について、特に、図１，図２等を参照しながら説明する。すなわち、智２４は、たとえば平面視円弧状に屈曲された智本体３０を含む。智本体３０の長さ方向の一端側、この場合、円周方向の一端側には、フロント連結部３２が配設される。フロント連結部３２は、メガネ１０のレンズ１２の正面側から見て、たとえば矩形状のプレート本体３４を含む。プレート本体３４は、その略中央にねじ孔３６を有する。ねじ孔３６は、プレート本体３４の一方主面側から他方主面側に貫通している。ねじ孔３６の内周面には、ねじ面３８が形成されている。
【００１２】
また、智本体３０の長さ方向の他端側には、つまり、円周方向の他端側には、テンプル２６に回動自在に連結されるテンプル側連結部４０が配設される。この場合、智本体３０とテンプル側連結部４０との間には、垂直方向に湾曲する緩衝部５２が配設される。緩衝部５２は、智本体３０の一端からテンプル側連結部４０に向けて上向きに延び設けられる円弧状の湾曲部位５４を含むものである。
【００１３】
次に、智本体３０のテンプル側連結部４０について説明する。テンプル側連結部４０は、メガネ１０のフロント部２２のリムロック部１８側に向いて開放されているたとえばＵ字状の屈曲片からなる付勢部４２と、付勢部４２の先端部から垂直方向上方に延び設けられ、後述するテンプル２６のテンプル基端部５６を回動自在に支持するヒンジ支点部４４とを含む。
【００１４】
付勢部４２は、特に、たとえば図２および図６に示すように、緩衝部５２の先端からメガネ１０のレンズ１２の後方向へ直線状に延び設けられる上片部位４６を含む。上片部位４６は、湾曲部位５４の先端から連接して設けられる。上片部位４６は、メガネ１０のレンズ１２の光軸方向と略平行に延び設けられて配置される。また、上片部位４６には、上片部位４６の先端から垂直方向下方に屈曲するＵ字状の曲折部位４８が連接される。さらに、曲折部位４８の先端には、曲折部位４８の先端からフロント部２２のリムロック部１８側に向いて、下片部位５０が直線状に延び設けられる。つまり、下片部位５０は、メガネ１０のレンズ１２の光軸方向に交差する方向で且つテンプル２６の内側方向に配置されている。さらに、下片部位５０の先端には、ヒンジ支点部４４が連接されている。
本実施形態では、智本体３０、緩衝部５２の湾曲部位５４、付勢部４２の上片部位４６，曲折部位４８，下片部位５０およびヒンジ支点部４４が、弾性を有するたとえば金属材料からなる断面円形の線材で一体的に形成されている。
【００１５】
次に、智２４のテンプル側連結部４０と回動自在に連結されるテンプル２６について説明する。テンプル２６は、テンプル本体５６を含む。テンプル本体５６は、その長さ方向の一端側にテンプル基端部５８が配設され、その長さ方向の他端側にモダン２８が配設されている。テンプル基端部５８は、特に、たとえば図２、図４および図５に示すように、たとえば平面視矩形状で且つ断面略方形に形成される。テンプル基端部５８は、テンプル連結部４０のヒンジ支点部４４が挿入され回動自在に保持される挿通部６０を含む。挿通部６０は、テンプル基端部５８の先端側の所定の位置に配設されたたとえば円柱状の挿通穴で構成されている。挿通孔は、テンプル基端部５８の下面側から上側に所定の長さで形成されている。挿通穴の直径は、ヒンジ支点部４４の直径よりも僅かに大きく形成され、挿通穴の軸方向の長さは、ヒンジ支点部４４の長さと略同じに形成されている。この場合、ヒンジ支点部４４は、テンプル基端部５８の所定位置にたとえば圧入されることにより、テンプル基端部５８に回動自在に保持される。
【００１６】
また、テンプル基端部５８の外側端面には、テンプル２６の開閉動作に伴って、テンプル側連結部４０の付勢部４２の少なくとも一部が係合可能となる溝部６２が配設される。溝部６２は、テンプル基端部５８の先端面で水平方向に配設される先端溝部６４と、テンプル基端部５８の外側端面で水平方向に配設される外側溝部６６とを有する。先端溝部６４および外側溝部６６は、連接されて、溝部６２を構成している。溝部６２は、たとえば図６に示すように、テンプル基端部５８の内側端面５９側を除くようにして、平面視Ｌ字状に配設されている。
【００１７】
テンプル２６の開閉動作が行われた場合で、テンプル２６が閉じた状態のときには、付勢部４２の上片部位４６が先端溝部６４に係合され、テンプル２６が開いた状態の場合には、上片部位４６が外側溝部６６に係合されるものである。言い換えると、テンプル基端部５８の回動動作にしたがい、テンプル基端部５８が先端溝部６４および外側溝部６６を介して、上片部位４６の長さ方向に沿って摺動するものである。
【００１８】
さらに、テンプル基端部５８には、挿通部６０と所定の間隔を隔てて、段差部６８が配設される。段差部６８は、テンプル基端部５８の外側面および下側面に向いて開放され、外側溝部６６と連接されるものである。段差部６８は、テンプル２６が普通に開いた状態から、さらに外側にテンプル２６を開いた場合に、少なくとも付勢部４２の曲折部位４８が段差部６８の内壁面７０に当接可能に変位できるように形成されている。
【００１９】
次に、智２４のフロント側連結部３２が取り付けられるリムロック部１８について説明する。リムロック部１８は、その側端部に、フロント側連結部３２が挿入されて取り付けられる取付穴部７２を有する。また、取付穴部７２の内壁面において、リムロック部１８の背面側には、座ぐり部７４を有する背面側挿入部７６が設けられ、さらに、リムロック部１８の正面側には、たとえば円形の正面側凹み部７８が設けられる。背面側挿入部７６および正面側凹み部７８は、それぞれ、取付穴部７２に連通している。
智２４のフロント側連結部３２をリムロック部１８に取り付ける場合、フロント側連結部３２を取付穴部７２に挿入した後、リムロックねじ２０を背面側挿入部７６から挿通し、フロント側連結部３２のねじ孔３６のねじ面３８と螺合させることによって、フロント側連結部３２がリムロック部１８に取り付けられ固定される。
【００２０】
次に、本実施形態にかかるメガネの蝶番構造の作用について説明する。
すなわち、智２４のテンプル側連結部４０のヒンジ支点部４４が、たとえば図６および図７に示すように、テンプル基端部５８の挿通部６０で回動自在となり、テンプル２６を普通に開いた場合には、特に、図４および図６等に示すように、テンプル側連結部４０の付勢部４２の上片部位４６がテンプル基端部５８の外側溝部６６に係合される。また、テンプル２６が閉じた場合には、図５に示すように、付勢部４２の上下片部位４６が先端溝部６４に係合される。この場合、テンプル２６の開閉動作にしたがい、テンプル基端部５８がその先端溝部６４およびそれに連なる外側溝部６６を介して、付勢部４２の上片部位４６の長さ方向に沿って摺動するものとなる。
【００２１】
そして、テンプル２６を普通に開いた状態からさらに外側に開いた場合、たとえば図７に示すように、テンプル側連結部４０のヒンジ支点部４４を支点にして、テンプル基端部５８の外側溝部６６が付勢部４２の上片部位４６を外側方に押圧する。この場合、ヒンジ支点部４４は付勢部４２の下片部位５０の付勢力（弾性反発力）に抗して、内側方に引っ張られるように弾性変形されるが、このとき、付勢部４２への押圧力を解除してやれば、ヒンジ支点部４４の付勢力（弾性反発力）によってヒンジ支点部４４が元の状態に復帰し、それに応じて、テンプル基端部５８も、テンプル２６が普通に開いた状態に復帰する。
【００２２】
テンプル２６が普通に開いた状態からさらに外側に開いた場合には、特に、図７に示すように、付勢部４２の曲折部位４８およびその近傍がテンプル基端部５８の段差部６８内に侵入する。そして、さらにテンプル２６を外側に開いた場合、付勢部４２の曲折部位４８が段差部６８の内壁面７０に当接される。このとき、テンプル２６の外側への開き角度が最大となる。つまり、段差部６８の内壁面７０は、テンプル２６の開き角度を規制するストッパの役割を有するものとなる。
このようにして、付勢部４２およびヒンジ支点部４４を含むテンプル側連結部４０の付勢力（弾性反発力）によって、テンプル２６が閉じられる方向に付勢されるヒンジ機能が作用しているものである。
【００２３】
さらに、本実施形態のメガネの蝶番構造では、智本体３０、付勢部４２およびヒンジ支点部４４が弾性を有する線材で一体的に形成されているので、先行技術（例えば、特許文献１および特許文献２参照。）のように枢支ネジ２５、枢軸Ｓ、縦軸３（小ネジ）等の緩みやガタツキの恐れがなく、しかも、部品点数の少ない簡単な構造を有するものとなり、さらに、付勢部４２の上片部位４６、曲折部位４８および下片部位５０の弾性力の相互作用により、テンプル２６の開閉抵抗も大きく変動することがない。
【００２４】
本実施形態のメガネの蝶番構造では、テンプル２６を普通の状態からさらに外側に開いた場合、あるいは、さらにそれ以上にテンプル２６を開こうとした場合に、付勢部４２にかかる力（負荷）が緩衝部５２の湾曲部位５４によって緩和され、智本体３０にかかる力（負荷）を軽減することができる。しかも、このメガネの蝶番構造では、付勢部４２の上片部位４６，曲折部位４８，下片部位５０およびヒンジ支持部４４と、智本体３０および緩衝部５２の湾曲部位５４とが、金属線材で折り曲げ構造を有しているため、テンプル２６の開き角度を大きくしても、該折り曲げ構造による弾性反発力の相互緩衝作用によって、テンプル側連結部４０全体にかかる力（負荷）を逃がして緩和させることができる。
そのため、智本体３０含むテンプル側連結部４０の格部位の折損等の損傷を防止することができる。したがって、このメガネの蝶番構造では、従来のねじ無し蝶番を用いたメガネに比べて、テンプルの開き角度を支障なく大きくすることが可能となっている。
【００２５】
なお、上述した実施形態にかかるメガネの蝶番構造では、たとえば図３に示すように、ヒンジ支持部４４がテンプル基端部５８の下面側から挿通・保持されたが、ヒンジ支持部４４は、たとえば図８に示すように、テンプル基端部５８の上面側から挿通・保持されるように形成されてもよい。この場合、挿通部６０は、テンプル基端部５８の上面側から下側に形成され、図３に示した付勢部４２の下片部位５０がテンプル基端部５８の上面側から挿通部６０に圧入される。
【産業上の利用可能性】
【００２６】
本願考案にかかるメガネの蝶番構造は、特に、弾性を有するたとえば金属線材を用いて、たとえばプラスチック枠のフロントの両端部分（智）とテンプルとを開閉自在に連結する、メガネの蝶番構造に用いて好適なものであるが、それ以外にも、コンビネーション枠Ａ，コンビネーション枠Ｂおよび縁無し枠などを有するメガネにも適宜用いられ得る。
【図面の簡単な説明】
【００２７】
【図１】本願考案にかかるメガネの蝶番構造の一例を示す斜視図である。
【図２】図１に示す蝶番構造の要部分解斜視図である。
【図３】図１に示す蝶番構造の要部を示す側面図である。
【図４】図１〜図３に示す蝶番構造において、テンプルを開いた状態を示す要部斜視図である。
【図５】図１〜図３に示す蝶番構造において、テンプルを閉じた状態を示す要部斜視図である。
【図６】図１〜図３に示す蝶番構造において、テンプルを開いた状態を示す要部平面図である。
【図７】図６のテンプルを開いた状態からテンプルをさらに外側に開いた状態を示す要部平面図である。
【図８】本願考案にかかるメガネの蝶番構造の他の例を示す要部側面図である。
【符号の説明】
【００２８】
１０  メガネの蝶番構造
１２  レンズ
１４  リム
１６  ブリッジ
１８  リムロック部
２０  リムロックねじ
２２  フロント部
２４  智
２６  テンプル
２８  モダン
３０  智本体
３２  フロント側連結部
３４  プレート本体
３６  ねじ孔
３８  ねじ面
４０  テンプル側連結部
４２  付勢部
４４  ヒンジ支持部
４６  上片部位
４８  曲折部位
５０  下片部位
５２  緩衝部
５４  湾曲部位
５６  テンプル本体
５８  テンプル基端部
５９  テンプル基端部の内側端面
６０  挿通部
６２  溝部
６４  先端溝部
６６  外側溝部
６８  段差部
７０  段差部の内壁面
７２  取付穴部
７４  座ぐり部
７６  背面側挿入部
７８  正面側凹み部
【図１】
0003106120.tif 000003
【図２】
0003106120.tif 000004
【図３】
0003106120.tif 000005
【図４】
0003106120.tif 000006
【図５】
0003106120.tif 000007
【図６】
0003106120.tif 000008
【図７】
0003106120.tif 000009
【図８】
0003106120.tif 000010